(57)【要約】本発明は、第１の電子構成部品を第２の電子構成部品と取外し可能に接続する装置に係る。第１の構成部品の多数の信号線は、第２の構成部品の対応する信号線と接続される。第１の構成部品のシート状部分は、シート状部分の端部の近くでシート状部分の面においてアレイ状に配置された複数の導電範囲を備えられる。前出の導電範囲の各々は、第１の構成部品の信号線と接続される。第２の構成部品の一部分は、該部分の面においてアレイ状に配置された複数の接点要素を備えられ、該接点要素の各々は、第２の構成部品の信号線と接続される。各接点要素は、第１の構成部品の前出の導電範囲のうちの１つと接触するよう接触面を有する。手段は、第１の構成部品の導電範囲の各々を第２の構成部品の対応する接点要素に対して押すよう存在する。
2007520866.tif 000002
【特許請求の範囲】
【請求項１】
第１の電子構成部品を第２の電子構成部品と取外し可能に接続する装置であって、
前記第１の構成部品の多数の信号線は、前記第２の構成部品の対応する信号線と接続され、前記第１の構成部品のシート状部分は、前記シート状部分の端部の近くで前記シート状部分の面においてアレイ状に配置された複数の導電範囲を備えられ、
前記第２の構成部品の一部分は、前記部分の面においてアレイ状に配置された複数の接点要素を備えられ、前記接点要素の各々は、前記第２の構成部品の信号線と接続され、各接点要素は、前記第１の構成部品の前記導電範囲のうちの１つと接触するよう接触面を有し、
前記第１の構成部品の前記導電範囲の各々を前記第２の構成部品の対応する接点要素に対して押すよう、手段が存在する、
装置。
【請求項２】
前記導電範囲は、前記第１の構成部品の前記シート状部分上で二次元パターンにおいて分布され、望ましくは、前記導電範囲は、２つ又はそれ以上の平行なアレイ状に配置される、ことを特徴とする、
請求項１記載の装置。
【請求項３】
前記第１の構成部品は、２００より多い導電範囲、望ましくは５００より多い導電範囲を備えられる、ことを特徴とする、
請求項１又は２記載の装置。
【請求項４】
前記第２の構成部品の前記接点要素の前記接触面は、前記第１の構成部品の前記導電範囲の少なくとも４倍、望ましくは８倍、及びより望ましくは１６倍小さい、ことを特徴とする、
請求項１乃至３のうちいずれか一項記載の装置。
【請求項５】
前記第１の構成部品の前記シート状部分及び／又は前記第２の構成部品の前記部分は、可撓性の材料で作られる、ことを特徴とする、
請求項１乃至４のうちいずれか一項記載の装置。
【請求項６】
複数のスプリング部材によって特徴付けられ、
各スプリング部材は、前記第１の構成部品が前記第２の構成部品に対して接続される際、１つより多い、望ましくは６つより多い接点要素及び前記対応する導電範囲を互いに対して押す、
請求項１乃至５のうちいずれか一項記載の装置。
【請求項７】
前記スプリング部材は、前記第２の構成部品に対して取り付けられる、ことを特徴とする、
請求項６記載の装置。
【請求項８】
異なるアレイにおける隣接する導電範囲は、同一のスプリング部材によって前記対応する接点要素に対して押される、ことを特徴とする、
請求項６又は７記載の装置。
【請求項９】
前記導電範囲は、前記アレイの方向に対して垂直である略直線上に位置決めされ、
スプリング部材は、２つの隣接する線上に位置決めされた全ての導電範囲を前記対応する接点要素に対して押す、
請求項６乃至８のうちいずれか一項記載の装置。
【請求項１０】
前記第１の構成部品の前記シート状部分は、その面に前記導電範囲を備えられ、前記スプリング部材と前記第２の構成部品の前記接点要素との間に位置決めされる、ことを特徴とする、
請求項６乃至９のうちいずれか一項記載の装置。
【請求項１１】
前記スプリング部材は、２つ又はそれ以上の導電範囲を有する前記シート状部分の範囲にわたって前記第１の構成部品の前記シート状部分を終端とする平らな部分を有するリーフスプリングである、ことを特徴とする、
請求項６乃至１０のうちいずれか一項記載の装置。
【請求項１２】
前記リーフスプリングの前記平らな部分の一端は、約１８０°の湾曲をなす前記リーフスプリングの湾曲部分を介して前記リーフスプリングの略平行である部分に対して接続される、ことを特徴とし、
前記平行な部分の一端は、前記第２の構成部品の一部分に対して取り付けられる、
請求項１１記載の装置。
【請求項１３】
前記リーフスプリングの前記平らな部分の他端は、他の方向において約１３５°の湾曲をなす前記リーフスプリングの湾曲部分を介して前記リーフスプリングの端部に対して接続される、ことを特徴とし、
手段は、前記接点要素から離れて前記リーフスプリングの前記平らな部分を動かすよう前記端部に対して押し得るよう存在する、
請求項１２記載の装置。
【請求項１４】
前記リーフスプリングは、互いに対して平行である列において位置付けられる、ことを特徴とし、
連続するリーフスプリングは、各アレイにおける２つ又はそれ以上の連続する導電範囲を対応する接点要素に対して押し、前記導電範囲は、前記アレイの前記方向に対して垂直である２つ又はそれ以上の線上に位置付けられる、
請求項１１乃至１３のうちいずれか一項記載の装置。
【請求項１５】
第１の電子構成部品を第２の電子構成部品と取外し可能に接続するクランプ部材であって、
前記第１の構成部品の多数の信号線は、前記第２の構成部品の対応する信号線と接続され、第１の構成部品のシート状部分は、前記シート状部分の端部の近くで前記シート状部分の面において１つ又はそれ以上のアレイ状に配置された複数の導電範囲を備えられ、前記導電範囲の各々は、前記第１の構成部品の信号線と接続され、
前記第２の構成部品の一部分は、前記部分の面において１つ又はそれ以上のアレイ状に配置された複数の接点要素を備えられ、前記接点要素の各々は、前記第２の構成部品の信号線と接続され、前記各接点要素は、前記第１の構成部品の前記導電範囲のうちの１つと接触する接触面を有し、クランプ部材はリーフスプリングの列を有し、各リーフスプリングは、前記第１の構成部品の１つより多い導電範囲を前記第２の構成部品の対応する接点要素に対して押し得る、
クランプ部材。
【請求項１６】
第１の電子構成部品を第２の電子構成部品と取外し可能に接続する方法であって、
前記第１の構成部品の多数の信号線は、前記第２の構成部品の対応する信号線と接続され、第１の構成部品のシート状部分は、前記シート状部分の端部の近くで前記シート状部分の面において１つ又はそれ以上のアレイ状に配置された複数の導電範囲を備えられ、前記導電範囲の各々は、前記第１の構成部品の信号線と接続され、
前記第２の構成部品の一部分は、前記部分の面において１つ又はそれ以上のアレイ状に配置された複数の接点要素を備えられ、前記接点要素の各々は、前記第２の構成部品の信号線と接続され、各接点要素は、前記第１の構成部品の前記導電範囲のうちの１つと接触する接触面を有し、前記第１の構成部品の前記導電範囲の各々は、前記第２の構成部品の対応する接点要素に対して押される、
方法。
【発明の詳細な説明】
【技術分野】
【０００１】
本発明は、第１の電子構成部品を第２の電子構成部品と取外し可能に接続する装置に係る。第１の構成部品の多数の信号線は、第２の構成部品の対応する信号線と接続される。
【背景技術】
【０００２】
第１の構成部品は、例えば、多数のピクセルを有するスクリーンを備えられたディスプレイである。各ピクセルは、ディスプレイの材料における電気信号線によって供給される電気信号に依存してその外観を変化し得るため、特定の画像がスクリーン上に現れる。スクリーン上に画像を作る電子信号が第２の構成部品を介して又は第２の構成部品によってディスプレイに供給される場合、第１の構成部品（ディスプレイ）の各信号線は、第２の構成部品の対応する信号線に接続されなければならず、複数の理由により、接続が取外し可能であるよう要求され得る。
【０００３】
かかる接続は、各々が多数の接点要素を有する、電気プラグを用いて確立され得る。該プラグの１つの部分は、第１の構成部品に対して取り付けられ、プラグの補足的な部分は第２の構成部品に対して取り付けられる。しかしながら、多数の電気接点を有するプラグは、かさばり、当業者以外には扱いにくいものである。更には、電気プラグを利用する際、両構成部品は、プラグの多少かさばる部分を備えられなければならず、また、例えばかかる構成部品が短い寿命を有する際及び／又は時々変えられるべきである際に、相互の接続可能且つ取外し可能である構成部品のうち少なくとも一方が小さい及び／又は安価である、ことが所望される。他の構成部品が複数回再使用される場合、かかる構成部品は、より複雑及び／又は高価な接続部分を有し得る。
【０００４】
かかる接続を確立する他の手法は、ディスクマン（ｄｉｓｋｍａｎ）（登録商標）及び携帯電話等の小型電子機器の内部で通常行われている通り、フレックスフォイル（ｆｌｅｘｆｏｉｌ）をコネクタへとクランプすることを介する。しかしながら、接続の性質上、最大１０の線のみが一度に接続され得、機器のユーザではなく当業者によってのみ行われる。更には、これらの接続は、機器の組立体の際に１度のみでなされるよう意図される。
【発明の開示】
【発明が解決しようとする課題】
【０００５】
本発明は、第１の電子構成部品を第２の電子構成部品と取外し可能に接続する装置を与えることを目的とする。構成部品の各々の多数の信号線の間の信頼性のある電気接続が求められ、構成部品のうち少なくとも１つは、複雑ではないか、あるいは比較的大きな接続機器がない。
【課題を解決するための手段】
【０００６】
該目的を達成するよう、第１の構成部品のシート状部分は、シート状部分の端部の近くでシート状部分の面においてアレイ状に配置された複数の導電範囲を備えられ、該導電範囲は、第１の構成部品の信号線と接続される。
第２の構成部品の一部分は、該部分の面においてアレイ状に配置された複数の接点要素を備えられ、該接点要素の各々は、第２の構成部品の信号線と接続され、各接点要素は、第１の構成部品の導電範囲のうちの１つと接触するよう接触面を有する。手段は、第１の構成部品の導電範囲の各々を第２の構成部品の対応する接点要素に対して押すよう存在する。
【０００７】
したがって、第１の構成部品の信号線は、かかる導電範囲が第２の構成部品の対応する接点要素の接触面に接触し得る位置で、第１の構成部品のシート状部分の面における導電範囲において終了する。第１の構成部品が第２の構成部品に対して取り付けられる際、第１の構成部品の各信号線は、第２の構成部品の対応する接点要素に対して電気的に接続される。第１の構成部品における導電範囲より第２の構成部品における接点要素が多くあり得るが、それは、同一の第２の構成部品に対して接続され得る他の第１の構成部品がより多くの導電範囲を有し得るためである。
【０００８】
一般的には、構成部品の信号線は、比較的小さい横断寸法を有し、互いに対して近く位置付けられるため、多数の信号線は、構成部品の材料の比較的小さい範囲上に収容され得る。しかしながら、導電範囲は、対応する接点要素との接触が信頼性高く確実に確立され得るよう更により大きな寸法を有するべきである。したがって、望ましい一実施例では、導電範囲は、第１の構成部品のシート状の部分上に二次元パターンにおいて分布され、望ましくは、導電範囲は、１つのアレイではなく２つ又はそれ以上の平行なアレイ状に配置される。かかるアレイは、同一の長さを有し得るが、導電範囲の異なる長さ及び／又は異なる数も有し得る。導電範囲を２つ又はそれ以上、望ましくは３つ又はそれ以上、より望ましくは４つ又はそれ以上の相互に平行であるアレイ状に配置することによって、多数の比較的大きな導電範囲は、第１の構成部品のシート状部分の面の限られた範囲上に収容され得る。
【０００９】
発現アレイ（ｅｘｐｒｅｓｉｏｎ  ａｒｒａｙ）は、導電範囲の列に対して使用される。列は、略直線であり得るか、又は事実上湾曲され得る。導電範囲は、互いに対して同等の距離又は種々の距離を有し得る。したがって、導電範囲は、第１の構成部品の特定の領域にわたって分布され得る。望ましくは、第１の構成部品は、２００より多い導電範囲、望ましくは５００より多い導電範囲を備えられる。例えば、かかる複数の信号線は、ディスプレイのスクリーン上により詳細な画像を作成し得る。
【００１０】
望ましい一実施例では、接点要素の接触面は、対応する導電範囲より少なくとも４倍、望ましくは８倍、及びより望ましくは１６倍小さい。更には、接点要素の接触面は、接点要素の近くで第２の構成部品の面の残りの部分に対して望ましくは０．０１ｍｍより大きく突出し得る。たとえ導電範囲のアレイの寸法における小さな変化の場合においても、第２の構成部品の接点要素の比較的小さく、望ましくは突出する接触面は、電気接点の信頼性を高め、接点要素が導電範囲外の第１の構成部品のシート状部分の材料と接触することを防ぐ。したがって、導電範囲間の空間は、他の導電範囲に対して接続される信号線を備えられ得る。該信号線は、第１の構成部品のシート状部分の面において存在し得る。
【００１１】
望ましい一実施例では、第１の構成部品のシート状部分及び／又は第２の構成部品の該部分は、可撓性の材料で作られる。例えば、第１の構成部品がフレキシブル・ディスプレイ、即ち薄い可撓性の材料を有するディスプレイである場合において、シート状部分はまた、同一の可撓性の材料で作られ得る。各導電範囲の比較的大きい面は、特には導電範囲を有する材料が可撓性である際に、より信頼性の高い電気接点を与える。導電範囲間の距離は、殆ど変化し得ない。
【００１２】
第１の構成部品の導電範囲は、電気接点の存在を確実にするよう第２の構成部品の接点要素の接触面に対して押される必要がある。異なる種類のクランプ手段は、所望される押す力を生成するよう使用され得る。望ましい一実施例では、複数のスプリング部材が存在し、各スプリング部材は、第１の構成部品が第２の構成部品に対して接続される際、１つより多い、望ましくは６つより多い接点要素及び対応する導電範囲を互いに対して押す。
【００１３】
スプリング部材は、別個のクランプ部材の一部であり得、例えば、第１の構成部品のシート状部分及び接点要素を有する第２の構成部品のシート状部分が互いに対して押されるよう挿入され得るスロットを備えられる。しかしながら、望ましい一実施例では、スプリング部材は、第２の構成部品に対して取り付けられる。
【００１４】
望ましくは、異なるアレイにおいて隣接する導電範囲は、同一のスプリング部材によって第２の構成部品の対応する接点要素に対して押される。第２の構成部品のより多くの接点要素が同一のスプリング部材によって第１の構成部品の対応する導電範囲に対して押される際、スプリング部材の押す力は、異なる接点要素にわたって同等に分布されなければならない。第１の構成部品のシート状部分の材料の可撓性及び／又は第２の構成部品の材料の可撓性、及び／又はスプリング部材の弾性は、押す力の所望される分布に対して与えられる。
【００１５】
したがって、望ましくは、隣接する導電範囲の群は、１つのスプリング部材によって対応する接点要素に対して押される。望ましい一実施例では、導電範囲は、導電範囲は、アレイの方向に対して垂直である略直線上に位置決めされる。スプリング部材は、対応する接点要素に対して２つの隣接する線上に位置決めされた全ての導電範囲を押す。該接点要素はまた、アレイに対して垂直である２つの隣接する線上に位置決めされる。それによって、スプリング部材は、各アレイの２つの連続する導電範囲を対応する接点要素に対して押す。導電範囲の６つのアレイが存在する場合、各スプリング部材は、１２の導電範囲を１２の対応する接点要素に対して押す。
【００１６】
望ましい一実施例は、面において導電範囲を備えられた第１の構成部品のシート状部分は、前出のスプリング部材と第２の構成部品の前出の接点要素との間に位置決めされ、スプリング部材は、第１の構成部品のシート状部分の後背側に対して押され、導電範囲は該部分の前方側に存在する。
【００１７】
望ましくは、スプリング部材は、２つ又はそれ以上の導電範囲を有するシート状部分の範囲にわたって第１の構成部品のシート状部分を終端とするよう平らな部分を有するリーフスプリングであり、該２つ又はそれ以上の導電範囲は、対応する接点要素に対して押される。
【００１８】
望ましい一実施例では、リーフスプリングの前出の平らな部分の一端は、約１８０°の湾曲をなすリーフスプリングの湾曲部分を介し、リーフスプリングの略平行な部分に対して接続される。前出の平行な部分の端部は、第２の構成部品の一部分に対して、又は第２の構成部品に対して取り付けられ得るクランプ部材に対して取り付けられる。また望ましくは、リーフスプリングの前出の平らな部分の他端は、他の方向において約１３５°の湾曲をなすリーフスプリングの湾曲部分を介し、リーフスプリングの端部に対して接続される。手段は、リーフスプリングの前出の平らな部分を接点要素から離して動かすために前出の端部に対して押し得るよう存在する。
【００１９】
望ましくは、リーフスプリングは、互いに対して平行な列において位置付けられる。連続するリーフスプリングは、対応する接点要素に対して各アレイにおいて２つの連続する導電範囲を押す。導電範囲は、アレイの方向に対して垂直である２つの線上に位置付けられる。したがって、リーフスプリングは、導電範囲のアレイに対して平行に延在するバーに対して固定され得る。リーフスプリングの構造は、該装置の一実施例が説明される際に更に明らかにされる。
【００２０】
本発明はまた、第１の電子構成部品を第２の電子構成部品と取外し可能に接続するクランプ部材に係る。第１の構成部品の多数の信号線は、第２の構成部品の対応する信号線と接続される。第１の構成部品のシート状部分は、該シート状部分の端部の近くでシート状部分の面において１つ又はそれ以上のアレイ状に配置された複数の導電範囲を備えられ、前出の導電範囲の各々は、第１の構成部品の信号線と接続される。第２の構成部品の一部分は、前出の部分の面において１つ又はそれ以上のアレイ状に配置された複数の接点要素を備えられる。該接点要素の各々は、第２の構成部品の信号線と接続され、各接点要素は、第１の構成部品の前出の導電範囲のうちの１つと接触する接触面を有する。当該クランプ部材は、リーフスプリングの列を有し、各リーフスプリングは、第１の構成部品の１つより多い導電範囲を第２の構成部品の対応する接点要素に対して押し得る。
【００２１】
本発明は更に、第１の電子構成部品を第２の電子構成部品と取外し可能に接続する方法に係る。第１の構成部品の多数の信号線は、第２の構成部品の対応する信号線と接続される。第１の構成部品のシート状部分は、該シート状部分の端部の近くでシート状部分の面において１つ又はそれ以上のアレイ状に配置された複数の導電範囲を備えられ、導電範囲の各々は、第１の構成部品の信号線と接続される。第２の構成部品の一部分は、該部分の面において１つ又はそれ以上のアレイ状に配置された複数の接点要素を備えられる。該接点要素の各々は、第２の構成部品の信号線と接続され、各接点要素は、第１の構成部品の前出導電範囲のうちの１つと接触する接触面を有する。第１の構成部品の前出導電範囲の各々は、第２の構成部品の対応する接点要素に対して押される。
【発明を実施するための最良の形態】
【００２２】
本発明は、フレキシブル・ディスプレイである第１の構成部品を接続部材である第２の構成部品に対して取外し可能に接続する装置の一実施例に関する記述を用いて説明され、図面が参照される。
【００２３】
図面は、略図であり、装置の関連部分のみを図示する。
【００２４】
図１は、取外し可能なフレキシブル・ディスプレイの前面図である。ディスプレイは、可撓性の多層材料の薄いシートを有する。材料のシートの矩形部分はスクリーン１であり、多数の（矩形の長い側部に対して平行である）アレイ状に配置されたピクセル及び（矩形の短い側部に対して平行である）カラムを備えられる。各ピクセルは、ピクセルの近くに延在する信号線における電位に依存してスクリーン上に現れ得るか、又は消え得る。矩形のスクリーンの長い側部に対して平行である信号線と、矩形のスクリーン１の短い側部に対して平行である信号線があり、両信号線の群は、ディスプレイの多層シート材料の異なる層において存在する。２つの信号線の交差は、各ピクセル位置において存在し、ピクセルは、特定の電位がそれら２つの信号線のいずれにも存在する場合、スクリーン上に現れる。したがって、信号線の各々における電位を制御することによって、画像は、スクリーン１上に生成され得る。
【００２５】
更には、ディスプレイは、図１中のディスプレイの端部３に近い下方側部において細長い矩形部分２を備えられる。矩形部分２の面は、四角形の導電範囲４を多数備えられ、該導電範囲はディスプレイの端部３に対して平行である６つのアレイ状に配置される。図２は、長方形ＩＩを有して図１中に示される通り、ディスプレイの一部分を拡対して示す。図２中、より詳細、特には四角形の導電範囲４の６つのアレイが可視である。当然のことながら、導電範囲は、四角形の形状以外の他の形状を有し得る。各導電範囲４は、信号線に対して接続される。それによって、端部３近くの導電範囲の信号線は、端部３から更に離れた導電範囲４間に存在する。
【００２６】
信号線は、各導電範囲４から矩形のスクリーン１の側部まで達し、続いて、長い側に対して平行であるスクリーン３の材料における信号線、及び、スクリーンの短い側に対して平行であるスクリーン３の材料における信号線を形成する。導電範囲４からスクリーン１まで、信号線はスクリーン３の周囲にディスプレイの材料５において組み込まれる。
【００２７】
ディスプレイのスクリーン１上で画像を生成するよう、ディスプレイの細長い矩形部分２上の導電範囲４は、以下では接続部材と称される他の構成部品上のドライバ電子機器に対して取外し可能に接続されなければならない。したがって、各導電範囲４は、接続部材の対応する信号線に対して接続されなければならない。
【００２８】
図３は、接続部材６を示す。接続部材６は、図１中のディスプレイに対して供給されるべき信号を生成するよう駆動電子機器等の電子構成部品（図示せず）を備えられ得る。接続部材６は、多数の信号線を備えられ、該信号線の各々は、接続部材６の端部８の近く接点要素７において終了する。接点要素７は、突出する接触面をディスプレイの対応する導電範囲４に接触させるよう、図１中のディスプレイ上の導電範囲４から外へ突出する。
【００２９】
各接点要素７を対応する導電範囲４に接続させるよう、ディスプレイの端部３の近くの細長い矩形のシート状部分は、接続部材６の端部８の近くの面上に位置付けられ得るため、接続部材６の各接点要素７は、ディスプレイ上の導電範囲４に対応する。導電範囲４の面が接点要素７の接触面より更に大きいため、導電範囲４の相互の位置が例えばディスプレイの材料の可撓性により僅かに変化する際、対応する導電範囲４に対して接点要素７の正しい位置決めがなされる。また、それによって接点要素７は導電範囲４間に存在し得る信号線に触れないことが、確実にされる。
【００３０】
導電範囲４の相互距離の変化はまた、ディスプレイの製造中に作られ得る。材料は、高温を受ける。更には、導電範囲４の寸法が変化し得るため、より大きい導電範囲４は、例えば基準点から更に離れた寸法の正確性が欠ける位置に存在する。該基準点では、第１の構成部品の部分２及び第２の構成部品の関連部分の位置決めが正確である。
【００３１】
各接点要素７間の対応する導電範囲４との信頼性の高い電気接続を達成するよう、押す力は、ディスプレイの部分２及び接続部材６の対応する部分を共に押さなければならない。
【００３２】
図４は、導電範囲４を対応する接点要素７に電気的に接続するよう、ディスプレイの部分２と端部８の近くの接続部材６の部分を共に押し得るクランプ部材９を図示する。クランプ部材９は、互いに対して平行である列において位置付けられた複数のリーフスプリング１０を有する。図５は、２つの隣接するリーフスプリング１０間のクランプ部材９の断面図である。
【００３３】
全てのリーフスプリング１０は、共通のベース１１を有する。リーフスプリング１０及びそれらの共通ベース１１は、矩形の金属板から製造される。したがって、リーフスプリング１０は、矩形の短い側に対して平行に延在する矩形の金属板において平行でまっすぐなスロットを作ることによって形成される。スロットは、長い一側部から、長い他側部から距離をおいた位置まで延在するため、前出の他方の長い側部に沿って前出の共通ベース１１が作られる。結果として、平行でまっすぐな複数のバーは、共通ベース１１から延在し、これらのバーを屈曲することによって、図４及び図５中に示される通り、平行なリーフスプリング１０の所望される列が形作られる。
【００３４】
図５中に示される通り、リーフスプリング１０の共通ベース１１は、クランプ部材９の本体１３のスロット１２において固定される。平行なリーフスプリング１０の第１の部分１４は、共通ベース１１の平面において共通ベース１１の他側から延在する。リーフスプリング１０の第２の部分１５は、１８０°にわたる湾曲をなす湾曲部分である。リーフスプリング１０の第３の部分１６は、平らな部分であり、平らな部分１６は、クランプ部材９の本体１３の平らな面１７に対して略平行に延在する。リーフスプリング１０の第４の部分１８は、他の湾曲部１５と比較して他の方向において約１３５°にわたって湾曲をなす湾曲部である。第５の部分はまた、リーフスプリング１０の平らな部分である。
【００３５】
図５中に示される実施例では、端部８に近い接続部材６の部分は、例えば適切な接着剤を用いてクランプ部材９の本体１３の平らな面１７上に固定される。それによって、接点要素７は、接続部材６の材料の面から上方向において突出する。接点要素７のアレイは６つあり、リーフスプリング１０の方向に対して垂直に延在する。リーフスプリング１０の幅は、アレイにおける２つの隣接する接点要素７の間の距離より大きく、各リーフスプリング１０の平らな部分１６は、各アレイの２つの隣接する接点要素７を覆全体的には１２この接点要素７は、各平らな部分１６によって覆われる。
【００３６】
接点要素７を対応する導電範囲４に電気的に接続するよう、ディスプレイの端部３に近い細長い矩形のシート状部分２は、リーフスプリング１０の平らな部分１６と面１７に対して固定された接続部材６の部分との間に位置付けられる。その位置においては、平らな部分１６は、導電範囲４を対応する接点要素７に対して押す。リーフスプリング１０の形状により、平らな部分１６は、略垂直な方向（図５中）において動き得るため、リーフスプリング１０のスプリング力は、垂直方向において下方向に平らな部分１６を押す。それによって、異なるアレイにおける導電範囲４は、略同等の力を有して下方向に押される。
【００３７】
ディスプレイの矩形部分２を解放するよう、リーフスプリングの平らな部分１６は、動作部材２０を回転させることによって該動作部材の軸２１の周囲で持ち上げられ得る。動作部材２０は、図５中に断面図で示される。部材２０は、平らな面２２を有するため、平らな面２２２の端部は、部材２０が反時計回りに回転される際、リーフスプリング１０の部分１９を終端とする。リーフスプリング１０の平らな部分１６は動作部材２０が更に回転される際に持ち上げられる、ことは明確である。リーフスプリング１０の形状により、平らな部分１６はその全体の長さにわたって持ち上げられる。
【００３８】
リーフスプリング１０の平らな部分１６が持ち上げられる際、ディスプレイの矩形部分２は、平らな部分１６と本体１３の平らな部分１７上に固定された接続部材６の部分との間で挿入され得るか、又は除去され得る。クランプ部材９の特定に基準面は、図示されていないが、リーフスプリング１０の平らな部分１６がその押し状態にされる際に正しい位置において矩形部分２を維持するよう存在する。
【００３９】
リーフスプリング１０は、例えば金属又はプラスチック材料である弾性材料から作られ得る。クランプ部材９の他の部分はまた、例えばまた金属又はプラスチック材料である適切な材料で作られ得る。
【００４０】
図４は、共に押されるべき電子構成部品の部分のないクランプ部材９を図示する。両部分は、リーフスプリング１０の平らな部分１６と平らな面１７との間にもたらされ得る。しかしながら、望ましくは、接続部材６の関連部分は、図５中に示された平らな面に対して固定される。
【００４１】
上述された実施例は、第１の電子構成部品を第２の電子構成部品と取外し可能に接続する装置の単なる一例であり、多くの他の実施例が可能である。
【図面の簡単な説明】
【００４２】
【図１】取外し可能なフレキシブル・ディスプレイを図示する。
【図２】図１中の一部分をより詳細に図示する。
【図３】接続部材の斜視図である。
【図４】クランプ部材の斜視図である。
【図５】クランプ部材の断面図である。
【図１】
2007520866.tif 000003
【図２】
2007520866.tif 000004
【図３】
2007520866.tif 000005
【図４】
2007520866.tif 000006
【図５】
2007520866.tif 000007
【国際調査報告】
2007520866.tif 000008
2007520866.tif 000009